(57)【要約】【課題】帽子は頭部に密着しているほど落ちない。かぶったままでいると蒸れたり髪が張り付いたりする。使用しないときはかさばる。【解決手段】本発明の帽子は、頭に巻き付けた平ゴムで、サイズ元を広げたクラウンの額部分だけを頭に押さえつけているので、蒸れないし髪が張りつかない。帽子が小さく片付くように、柔軟な細い棒をブリムの縁に入れてブリムとクラウンを広げ、引き出せば帽子の形が崩れるようにする。ブリムの縁を袋にする。プラスチックの柔軟な棒に両端を着脱できる部品をつける。帽子の真後ろのブリムの縁を、着脱部品が露わになるように半円形に切り落とす。切り口から差し込んだプラスチックの柔軟な棒の長さの中央をブリムの正面の縁に固定して、紛失を防ぐ。【選択図】図１
2020117846.tif 000002
【特許請求の範囲】
【請求項１】
基準サイズの高さで、額に当たる部分以外はサイズ元を外側にひろげたクラウンに、頭回りを一周して、額の位置の表面で長さを調節できるようにした平ゴムを付けたことを特徴とする帽子。
【請求項２】
ブリムの縁は袋状にしてプラスチックの柔軟な棒を出し入れしやすい幅を持たせ、頭の真後ろに当たるブリムの縁を着脱操作がしやすいくらい切り取り、切り口から着脱可能な接続部分を付けたプラスチックの柔軟な棒を差し込んで、外側に張るように一周してブリムを広げて、ブリムの縁の切り取られた部分で接続部分の着脱操作ができるようにして、プラスチックの柔軟な棒の長さの真ん中をブリムの縁に固定した請求項１の帽子。
【発明の詳細な説明】
【技術分野】
【０００１】本発明は風で落ちない帽子とたためる帽子に関する。
【背景技術】
【０００２】従来の帽子は、風に飛ばされないように様々な工夫がされてきた。サイズ元の耳の辺りに付けた弾性体の紐を後頭部に回して被る帽子や、（［特許文献１］特開２００７−２０４８９８）スベリの場所に来るように、伸縮性のある素材をブリムに付けたフリーサイズ帽子もある。（［特許文献２］特開２００３−１２９３２２）取り外せるカチューシャのような形のクリップ体を額の位置に置いた帽子は、小さく片付けることもできる。（［特許文献３］実登３１８２４５３）
【先行技術文献】
【特許文献】
【０００３】
【特許文献１】特開２００７−２０４８９８
【特許文献２】特開２００３−１２９３２２
【特許文献３】実登３１８２４５３
【発明の概要】
【発明が解決しようとする課題】
【０００４】しかしながら、頭部に密着しているほど帽子は落ちない。長くかぶったままでいると蒸れたり、取ると髪が頭に張り付いていたりする。ブリムが付いた帽子は、取った後は型崩れしないように手で持っていなければならず、邪魔になるなどの課題がある。
【課題を解決するための手段】
【０００５】本発明の帽子のクラウンは、基準サイズの高さで、額に当たる部分以外はサイズ元を外側に広げた。頭回りを一周して額の位置の表面で長さを調節できるようにした平ゴムを、クラウンに付けた帽子である。【０００６】ブリムの縁は袋状にして、プラスチックの柔軟な棒を出し入れしやすい幅を持たせる。頭の真後ろに当たるブリムの縁を、着脱操作がしやすいように切り取る。切り口から着脱可能な接続部分を付けたプラスチックの柔軟な棒を差し込み、外側に張るように一周させる。ブリムの縁を切り取った場所で接続操作を行う。プラスチックの柔軟な棒の長さの真ん中をブリムに固定する。帽子を使用しないときは接続部分を外して、プラスチックの柔軟な棒を引き出す。これにより、上記課題を解決する。
【発明の効果】
【０００７】本発明の帽子のクラウンは、額以外はサイズ元が外側に広がっている。頭を一周する平ゴムが額部分だけで帽子を押さえているので、クラウンによる締め付けがなく、髪も押さえられない。クラウンの額部分で頭回りに合うように何度でも平ゴムの調節ができる。調節器具の送りカンや角カンはクラウンの表面にあるので、皮膚に当たらず痛くならない。顎紐もいらないので見た目にもスッキリしている。プラスチックの柔軟な棒の接続部分が、正面から見たときにデザインをじゃませず、操作もしやすい。プラスチックの柔軟な棒の長さの真ん中の部分がブリムに固定されているので、ブリムの縁を伸縮する操作が短時間でできる。引き出した後のプラスチックの柔軟な棒も紛失しない。
【図面の簡単な説明】
【０００８】
【図１】本発明の帽子のブリムが平らになるようして被っている図
【図２】本発明の帽子の正面図
【図３】本発明の帽子を斜めにして、後ろから見た図
【発明を実施するための形態】
【０００９】本発明の帽子は、クラウンの高さと額に当たるサイズ元の幅は基準通りで、額の端から後頭部にかけてサイズ元が外に広がるように製図する。クラウンの額部分の両脇に切込みを入れる。頭回りを一周して額の位置の表面で長さを調節できるように、両方の切込みから平ゴムをクラウンの表面に引き出す。片方の平ゴムは角カンを付けてクラウンの額側の端に固定する。残りの平ゴムは送りカンと角カンをつけて、固定された平ゴムの角カンに通して、長さの調節ができるようにする。
【００１０】ブリムの縁は袋状にして、プラスチックの柔軟な棒を出し入れしやすい幅を持たせる。頭の真後ろに当たるブリムの縁を、着脱操作がしやすいように切り取る。切り口から、着脱可能な接続部分を付けたプラスチックの柔軟な棒を差し込む。外側に張るように一周させてブリムを広げ、接続部分は差し込まない。接続部分の着脱操作はブリムの縁を切り取った場所でする。プラスチックの柔軟な棒の長さの真ん中に当たる部分をブリムに固定する。固定場所は顔の中心に当たる場所になる。
【図１】
2020117846.tif 000003
【図２】
2020117846.tif 000004
【図３】
2020117846.tif 000005
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
サイズ元は額部分の両端から外側に広げ、頭に巻き付ける平ゴムの両端をクラウンの額の両側に開けた切込みから表面に引き出し、クラウンの額の上で長さ調節をすることを特徴とする帽子。
【請求項２】
ブリムの縁は袋にして、プラスチックの柔軟な棒に両端を着脱できる部品をつけ、着脱部品が露わになるように帽子の真後ろのブリムの縁を半円形に切り落とし、切り口から差し込んだプラスチックの柔軟な棒の長さの中央をブリムの正面の縁に固定した請求項１の帽子。
【手続補正２】
【補正対象書類名】明細書
【補正対象項目名】全文
【補正方法】変更
【補正の内容】
【発明の詳細な説明】
【技術分野】
【０００１】本発明は風で落ちない帽子とたためる帽子に関する。
【背景技術】
【０００２】従来の帽子は、風で飛ばされないように様々な工夫がされてきた。サイズ元の耳の辺りに付けた弾性体の紐を後頭部に回して被る帽子［特許文献１］や、スベリの場所に来るように伸縮性のある素材をブリムに付けたフリーサイズ帽子［特許文献２］もある。取り外せるカチューシャのような形のクリップ体を額の位置に置いた帽子は、小さく片付けることもできる。［特許文献３］
【先行技術文献】
【特許文献】
【０００３】
【特許文献１】特開２００７−２０４８９８
【特許文献２】特開２００３−１２９３２２
【特許文献３】実登３１８２４５３
【発明の概要】
【発明が解決しようとする課題】
【０００４】しかしながら、頭部に密着しているほど帽子は落ちない。長くかぶったままでいると蒸れたり、取ると髪が頭に張り付いていたりする。ブリムが付いた帽子は、取った後は型崩れしないように手で持っていなければならず、邪魔になるなどの課題がある。
【課題を解決するための手段】
【０００５】本発明の帽子で、サイズ元は額部分の両端から外側に広げる。頭に巻きつける平ゴムの両端を、クラウンの額の両側に開けた切込みから表面に引き出す。クラウンの額の上で、引き出した平ゴムの長さ調節をする。【０００６】本発明の帽子は、ブリムの縁を袋にする。プラスチックの柔軟な棒に両端を着脱できる部品をつける。着脱部品が露わになるように帽子の真後ろのブリムの縁を半円形に切り落とし、プラスチックの柔軟な棒を差し込む。棒の長さの中央をブリムの正面の縁に固定して抜けないようにする。ブリムを絞って棒を引き出すと帽子が小さくなる。これにより、上記課題を解決する。
【発明の効果】
【０００７】本発明の帽子は、頭に巻きつけた平ゴムで、サイズ元を広げたクラウンの額部分だけを頭に押さえつけている。クラウンによる締め付けがなく、髪も押さえられない。クラウンの額部分で頭回りに合うように平ゴムの長さを何度でも調節できる。長さ調節器具の送りカンや角カンはクラウンの表面にあるので、皮膚に当たらず痛くならない。顎紐もいらないので見た目にもスッキリしている。プラスチックの柔軟な棒の両端を着脱できる部品が帽子の後ろに露わになっているので操作しやすく、デザインを邪魔しない。プラスチックの柔軟な棒の長さの中央がブリム正面の縁に固定されているので、ブリムの縁を伸縮する操作が短時間でできて紛失もしない。
【図面の簡単な説明】
【０００８】
【図１】本発明の帽子のブリムが平らになるようにして被っている図
【図２】本発明の帽子の正面図
【図３】本発明の帽子を斜めにして、後ろから見た図
【発明を実施するための形態】
【０００９】本発明の帽子は、サイズ元を額部分の両端から外側に広げる。クラウンの額の両側にサイズ元から頭頂部に向かって切込みを入れる。頭に巻き付ける平ゴムの両端をこの切込みからクラウンの表面に引き出す。クラウンの表面に引き出した平ゴムの片方に角カンを付けてクラウンの額側の端に固定する。残りの平ゴムは送りカンと角カンをつけて、固定された平ゴムの角カンに通して、長さ調節をクラウンの額の上でできるようにする。
【００１０】ブリムの縁は袋にする。プラスチックの柔軟な棒に両端を着脱できる部品を付ける。ブリムの真後ろの縁は着脱操作のときに引っ張られないように半円形に切り落とし、着脱部品が露わになるようにする。切り口から差し込んだプラスチックの柔軟な棒の長さの中央は、ブリムの正面の縁に固定して抜けないようにする。帽子を使わないときはプラスチックの柔軟な棒をブリムから引き出すと、ブリムが縮まり帽子が小さくなる。